【手続補正書】
【提出日】平成19年10月22日(2007.10.22)
【手続補正１】
【補正対象書類名】明細書
【補正対象項目名】特許請求の範囲
【補正方法】変更
【補正の内容】
【特許請求の範囲】
【請求項１】  通信回線を介して利用者端末から広告用メッセージを閲覧可能としたＷＷＷサーバーにおける広告方法であって、
広告データベースに登録された前記広告用メッセージを、該広告用メッセージと関連のあるＷＷＷページとともに閲覧可能としたことを特徴とする広告方法。
【請求項２】  前記広告データベースは、前記広告用メッセージにキーワードを対応付けて登録したデータベースであって、
前記キーワードに基づいて前記広告用メッセージに関連のあるＷＷＷページを該広告用メッセージと関連付けることを特徴とする請求項１に記載の広告方法。
【請求項３】  前記キーワードを前記広告用ページの内容に基づいて生成して該広告用ページに対応付けて前記広告データベースに登録することを特徴とする請求項２に記載の広告方法。
【請求項４】  前記ＷＷＷページ毎にキーワードを登録したデータベースに基づいて、前記広告用メッセージと該ＷＷＷページの関連付けを行うことを特徴とする請求項２または３に記載の広告方法。
【請求項５】  前記キーワードを前記ＷＷＷページの内容に基づいて生成して該ＷＷＷページに対応付けて前記データベースに登録することを特徴とする請求項４に記載の広告方法。
【請求項６】  前記広告メッセージと、該広告用メッセージと関連のあるＷＷＷページを閲覧可能とする際に、該広告用メッセージがＷＷＷページ上にて移動しながら閲覧可能とさせることを特徴とする請求項１乃至５に記載の広告方法。
【請求項７】  前記ＷＷＷページは、ニュースを含み、
前記広告用メッセージを、該広告用メッセージと関連のあるニュースとともに前記ＷＷＷページにて閲覧可能としたことを特徴とする請求項１乃至７の何れかに記載の広告方法。
【請求項８】  通信回線を介して利用者端末から広告用メッセージを閲覧可能としたＷＷＷサーバーに、
広告データベースに登録された前記広告用メッセージを、該広告用メッセージと関連のあるＷＷＷページとともに閲覧可能にさせる動作を実行させるプログラムを記録した記録媒体。
【請求項９】  通信回線を介して利用者端末から広告用メッセージを閲覧可能としたＷＷＷサーバーにおいて、
広告用メッセージを登録した広告用データベースと、
前記広告用メッセージを、該広告用メッセージと関連のあるＷＷＷページとともに閲覧可能にする手段と、
を備えることを特徴とするＷＷＷサーバー。
【手続補正２】
【補正対象書類名】明細書
【補正対象項目名】０００４
【補正方法】変更
【補正の内容】
【０００４】
【課題を解決するための手段】
前記目的を達成するため、本発明は、通信回線を介して利用者端末から広告用メッセージを閲覧可能としたＷＷＷサーバーにおける広告方法であって、
広告データベースに登録された前記広告用メッセージを、該広告用メッセージと関連のあるＷＷＷページとともに閲覧可能としたことを特徴とする広告方法である。
【手続補正３】
【補正対象書類名】明細書
【補正対象項目名】０００５
【補正方法】変更
【補正の内容】
【０００５】
また、本発明において、前記広告データベースは、前記広告用メッセージにキーワードを対応付けて登録したデータベースであって、前記キーワードに基づいて前記広告用メッセージに関連のあるＷＷＷページを該広告用メッセージと関連付けることとしてもよい。
この場合、前記キーワードを前記広告用ページの内容に基づいて生成して該広告用ページに対応付けて前記広告データベースに登録することとしてもよい。
また、前記ＷＷＷページ毎にキーワードを登録したデータベースに基づいて、前記広告用メッセージと該ＷＷＷページの関連付けを行うこととしてもよい。
この場合、前記キーワードを前記ＷＷＷページの内容に基づいて生成して該ＷＷＷページに対応付けて前記データベースに登録することとしてもよい。
【手続補正４】
【補正対象書類名】明細書
【補正対象項目名】０００６
【補正方法】変更
【補正の内容】
【０００６】
また、本発明において、前記広告メッセージと、該広告用メッセージと関連のあるＷＷＷページを閲覧可能とする際に、該広告用メッセージがＷＷＷページ上にて移動しながら閲覧可能とさせることとしてもよい。
また、前記ＷＷＷページは、ニュースを含み、前記広告用メッセージを、該広告用メッセージと関連のあるニュースとともに前記ＷＷＷページにて閲覧可能とすることとしてもよい。
【手続補正５】
【補正対象書類名】明細書
【補正対象項目名】０００７
【補正方法】変更
【補正の内容】
【０００７】
また、前記目的を達成するための本発明は、通信回線を介して利用者端末から広告用メッセージを閲覧可能としたＷＷＷサーバーに、広告データベースに登録された前記広告用メッセージを、該広告用メッセージと関連のあるＷＷＷページとともに閲覧可能にさせる動作を実行させるプログラムを記録した記録媒体である。
【手続補正６】
【補正対象書類名】明細書
【補正対象項目名】０００８
【補正方法】変更
【補正の内容】
【０００８】
また、前記目的を達成するための本発明は、通信回線を介して利用者端末から広告用メッセージを閲覧可能としたＷＷＷサーバーにおいて、広告用メッセージを登録した広告用データベースと、前記広告用メッセージを、該広告用メッセージと関連のあるＷＷＷページとともに閲覧可能にする手段と、を備えることを特徴とするＷＷＷサーバーである。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００４０
【補正方法】変更
【補正の内容】
【００４０】
【発明の効果】
本発明によれば、通信回線を介して利用者端末から閲覧可能なＷＷＷページにて広告用メッセージに閲覧者の注意を引きつけて効果的な広告を行うことが可能な広告方法を実現することができる。
【手続補正１６】
【補正対象書類名】明細書
【補正対象項目名】００４１
【補正方法】変更
【補正の内容】
【００４１】
また、複数のニュースのなかから、広告用メッセージと関連のあるニュースを選んで該広告用メッセージと関連付け、該広告用メッセージを、該広告用メッセージに関連付けられたニュースとともにＷＷＷページにて閲覧可能とするから、より効果的に広告用メッセージに閲覧者の注意を引きつけて広告を行うことが可能な広告方法を実現することができる。また、複数のニュースのうち、広告用メッセージと関連のあるニュースを迅速に発見することができるという効果が得られる。
【手続補正１７】
【補正対象書類名】明細書
【補正対象項目名】００４２
【補正方法】削除
【補正の内容】
【手続補正１８】
【補正対象書類名】明細書
【補正対象項目名】００４３
【補正方法】削除
【補正の内容】
【手続補正１９】
【補正対象書類名】明細書
【補正対象項目名】００４４
【補正方法】削除
【補正の内容】
【手続補正２０】
【補正対象書類名】明細書
【補正対象項目名】００４５
【補正方法】削除
【補正の内容】
【手続補正２１】
【補正対象書類名】明細書
【補正対象項目名】００４６
【補正方法】削除
【補正の内容】
【手続補正２２】
【補正対象書類名】明細書
【補正対象項目名】００４７
【補正方法】削除
【補正の内容】
【手続補正２３】
【補正対象書類名】明細書
【補正対象項目名】００４８
【補正方法】削除
【補正の内容】
【手続補正２４】
【補正対象書類名】明細書
【補正対象項目名】００４９
【補正方法】削除
【補正の内容】